(57)【特許請求の範囲】
【請求項１】
メダル遊技設備で使用するメダルを搬送するためのメダル搬送ベルトコンベヤにおいて、そのベルトの張力を前記メダル搬送ベルトコンベヤの中間位置で調整するベルト緊張装置であって、前記メダル搬送ベルトコンベヤのベルトを、往路のベルトを受ける水平面とその下方の復路のベルトを上方で案内する水平面と前記各水平面をその左右端それぞれで連結する上下方向に延びた左右側面とからなるコンベヤフレームで支持し、同コンベヤフレームの左右側面の外側それぞれに前記メダル搬送ベルトコンベヤの搬送方向に対して直角の上下方向となる縦向きのガイドフレームを搬送方向の前後に所定間隔をおいて配置するとともに、左右側面の外側それぞれに配置された前後の前記ガイドフレームの位置がベルトを介して前後それぞれ対向する位置となるように配置し、左右側面の外側の前後の前記ガイドフレームの対向する前のガイドフレーム間及び対向する後のガイドフレーム間に補助ローラーを復路のベルトの下側位置で軸支し、前記コンベヤフレームの左右側面の外側それぞれに設けた前記の前後のガイドフレームの前のガイドフレームの下部とその後のガイドフレームの下部とを前後方向に延びた引掛部材で連結し、しかもコンベヤフレームの左右側面の同じ側にある前のガイドフレームと後のガイドフレームとの間に上下自在な移動フレームを左右側それぞれ配置し、コンベヤフレームの左右側面の外側それぞれに配置した前記移動フレームの間に復路のベルトの上面に接触するテンションローラーを軸支し、コンベヤフレームの左右側面の外側それぞれの前記移動フレームの上部に前後方向に張り出した別の引掛部材を設け、更にコンベヤフレームの左右側面の外側それぞれにおいて、移動フレームの上部に設けた前記の別の引掛部材とその左右同じ側の前後のガイドフレームの下部を連結した前記引掛部材との間で且つその前後両端の位置それぞれにおいて縦方向に延びた引張バネを取付け、前記テンションローラーを前記引張バネの力によって押し下げて前後の前記補助ローラーから復路のベルトを下方に引出してベルトを緊張することを特徴とする、メダル搬送ベルトコンベヤのベルト緊張装置。
【請求項２】
請求項１に記載の前記テンションローラーを回転させるモーターを前記移動フレームに取り付けた、請求項１記載のメダル搬送ベルトコンベヤのベルト緊張装置。
【請求項３】
メダル遊技機間又はメダル貸し機間あるいはメダル遊技機とメダル貸し機との間に間隙を設け、その間隙に位置するように請求項１又は２記載のベルト緊張装置を取り付けた、メダル遊技設備。
【請求項４】
請求項１又は２記載のベルト緊張装置を取り付けたメダル搬送ベルトコンベヤを並設された遊技機島間に架設し、そのベルト緊張装置を前記遊技機島間の中間位置に配置した、メダル遊技設備。
【請求項５】
請求項１又は２記載のベルト緊張装置を取り付けたメダル搬送ベルトコンベヤの中間が遊技機島の真上を通るように架設し、そのベルト緊張装置を前記遊技機島の直上位置に配置した、メダル遊技設備。
【発明の詳細な説明】
【技術分野】
【０００１】
本発明は、メダル遊技設備で使用するメダルを搬送するためのメダル搬送ベルトコンベヤにおいて、そのベルトの張力を調整する技術に関する。
【背景技術】
【０００２】
遊技機島においては、メダル遊技機とメダル貸し機にメダルを供給する手段としてベルトコンベヤが一般的に使用されている。ベルトコンベヤは、ベルトに適度な張力を与えてローラーに圧接させ、駆動時にスリップしないようにしているが、長期間使用しているとベルトが徐々に伸びてスリップしやすくなるから、張力を定期的に調整する必要がある。
【０００３】
この張力を自動的に調整するためのベルト緊張装置として、例えば特許文献１に開示されている技術がある。この技術は、ベルトの復路を下方へループ状に引き出してテンションローラーに張架し、そのテンションローラーを圧縮バネで張力が作用する方向へ付勢した構造を特徴としている。この技術によれば、ベルトが伸びた分だけ圧縮バネが復元し、一定の張力が常に作用して緊張を保持できる、というものである。
【０００４】
ところで、長期間使用して圧縮バネが圧縮前の状態に復元すると、その後ベルトがさらに伸びても復元力が無いから緊張できず、ベルトの交換が必要になる。しかし、前記技術のベルト緊張装置は、ベルトコンベヤの下方空間を広く占有する構造であるから、遊技機島のレイアウトによってはメダル遊技機やメダル貸し機と干渉して設置できないことがあった。
【先行技術文献】
【特許文献】
【０００５】
【特許文献１】特開２００４−２１５８８２号公報
【発明の概要】
【発明が解決しようとする課題】
【０００６】
本発明が解決しようとする課題は、従来のこれらの問題点を解消し、設置場所の制約が少ない構造にすることにある。
【課題を解決するための手段】
【０００７】
かかる課題を解決した本発明の構成は、
１）  メダル遊技設備で使用するメダルを搬送するためのメダル搬送ベルトコンベヤにおいて、そのベルトの張力を前記メダル搬送ベルトコンベヤの中間位置で調整するベルト緊張装置であって、前記メダル搬送ベルトコンベヤのベルトを、往路のベルトを受ける水平面とその下方の復路のベルトを上方で案内する水平面と前記各水平面をその左右端それぞれで連結する上下方向に延びた左右側面とからなるコンベヤフレームで支持し、同コンベヤフレームの左右側面の外側それぞれに前記メダル搬送ベルトコンベヤの搬送方向に対して直角の上下方向となる縦向きのガイドフレームを搬送方向の前後に所定間隔をおいて配置するとともに、左右側面の外側それぞれに配置された前後の前記ガイドフレームの位置がベルトを介して前後それぞれ対向する位置となるように配置し、左右側面の外側の前後の前記ガイドフレームの対向する前のガイドフレーム間及び対向する後のガイドフレーム間に補助ローラーを復路のベルトの下側位置で軸支し、前記コンベヤフレームの左右側面の外側それぞれに設けた前記の前後のガイドフレームの前のガイドフレームの下部とその後のガイドフレームの下部とを前後方向に延びた引掛部材で連結し、しかもコンベヤフレームの左右側面の同じ側にある前のガイドフレームと後のガイドフレームとの間に上下自在な移動フレームを左右側それぞれ配置し、コンベヤフレームの左右側面の外側それぞれに配置した前記移動フレームの間に復路のベルトの上面に接触するテンションローラーを軸支し、コンベヤフレームの左右側面の外側それぞれの前記移動フレームの上部に前後方向に張り出した別の引掛部材を設け、更にコンベヤフレームの左右側面の外側それぞれにおいて、移動フレームの上部に設けた前記の別の引掛部材とその左右同じ側の前後のガイドフレームの下部を連結した前記引掛部材との間で且つその前後両端の位置それぞれにおいて縦方向に延びた引張バネを取付け、前記テンションローラーを前記引張バネの力によって押し下げて前後の前記補助ローラーから復路のベルトを下方に引出してベルトを緊張することを特徴とする、メダル搬送ベルトコンベヤのベルト緊張装置
２）  前記１）に記載の前記テンションローラーを回転させるモーターを前記移動フレームに取り付けた、前記１）記載のメダル搬送ベルトコンベヤのベルト緊張装置
３）  メダル遊技機間又はメダル貸し機間あるいはメダル遊技機とメダル貸し機との間に間隙を設け、その間隙に位置するように前記１）又は２）記載のベルト緊張装置を取り付けた、メダル遊技設備
４）  前記１）又は２）記載のベルト緊張装置を取り付けたメダル搬送ベルトコンベヤを並設された遊技機島間に架設し、そのベルト緊張装置を前記遊技機島間の中間位置に配置した、メダル遊技設備
５）  前記１）又は２）記載のベルト緊張装置を取り付けたメダル搬送ベルトコンベヤの中間が遊技機島の真上を通るように架設し、そのベルト緊張装置を前記遊技機島の直上位置に配置した、メダル遊技設備
にある。
【発明の効果】
【０００８】
本発明の前記１）記載の構成によれば、移動フレームがそれ自身とテンションローラーの自重及び引張バネの引張り力でガイドフレームに沿って下がり、テンションローラーがベルトの復路を押し下げて緊張する。使用中にベルトが伸びると、その分だけ移動フレームが下がって緊張し続ける。このように、移動フレームが縦方向に移行する構造であるから、ベルトコンベヤの下方空間を広く占有することがなく、従来技術と比較して狭い場所でも設置しやすいものとなる。
【０００９】
本発明の前記２）記載の構成によれば、テンションローラーを駆動ローラーとすることができ、しかもモーターの自重が加わることで、より強い力で緊張することができる。
【図面の簡単な説明】
【００１０】
【図１】実施例の遊技機島の説明図である。
【図２】実施例のベルト緊張装置の側面図である。
【図３】図２のＡ−Ａ線断面図である。
【図４】図３のＡ−Ａ線断面図である。
【図５】図４のＡ−Ａ線断面図である。
【図６】実施例のベルトの緊張を示す説明図である。
【図７】実施例の他の例のベルト緊張装置の側面図である。
【図８】実施例の他の例の遊技機島の説明図である。
【図９】実施例の他の例の遊技機島の説明図である。
【図１０】実施例の他の例の遊技機島の説明図である。
【図１１】実施例の他の例の遊技機島の説明図である。
【発明を実施するための形態】
【００１１】
以下、本発明を実施するための形態を実施例と図面に基づいて具体的に説明する。
【実施例】
【００１２】
図１は実施例の遊技機島の説明図、図２は実施例のベルト緊張装置の側面図、図３は図２のＡ−Ａ線断面図、図４は図３のＡ−Ａ線断面図、図５は図４のＡ−Ａ線断面図、図６は実施例のベルトの緊張を示す説明図である。
【００１３】
図中、１はメダル遊技機、２はメダル貸し機、３はメダル搬送ベルトコンベヤ、３１はコンベヤフレーム、３２はベルト、４はメダル供給装置、５はメダル回収ベルトコンベヤ、６はベルト緊張装置、６１はガイドフレーム、６２は引掛部材、６２ａは引掛穴、６３は補助ローラー、６４は移動フレーム、６５はテンションローラー、６６は引張バネ、７はモーター、７１は取付台、７２，７３はスプロケット、７４はチェーン、Ａは遊技機島である。
【００１４】
本実施例の遊技機島Ａは、図１に示すように、間隙をおいて隣設したメダル遊技機１及びメダル貸し機２と、これらにメダルを搬送するメダル搬送ベルトコンベヤ３と、メダル搬送ベルトコンベヤ３にメダルを供給するメダル供給装置４と、メダル遊技機１で使用されたメダルをメダル供給装置４に回収するメダル回収ベルトコンベヤ５とで構成している。ベルト緊張装置６は、メダル搬送ベルトコンベヤ３のメダル遊技機１とメダル貸し機２の間の間隙位置、及びメダル回収ベルトコンベヤ５の途中位置に取り付けている。
【００１５】
ベルト緊張装置６は、図２〜５に示すように、コンベヤフレーム３１の左右側面それぞれに縦向きのガイドフレーム６１を搬送方向の前後に所定間隔をおいて下方へ伸びるように取り付け、そのガイドフレーム６１の下部に引張バネ６６を引っ掛けるための引掛穴６２ａを四隅に備えた引掛部材６２を取り付け、前後のガイドフレーム６１それぞれに補助ローラー６３をベルト３２の復路の下側位置で回転自在に軸支している。
【００１６】
前後のガイドフレーム６１間の位置には移動フレーム６４を縦向きに配置し、その移動フレーム６４でテンションローラー６５を回転自在に軸支し、ベルト３２の復路の途中を前後の補助ローラー６３間から下方へ引き出してテンションローラー６５に張架している。移動フレーム６４の上部には前記と同じ構造である別の引掛部材６２を取り付け、その上下の引掛部材６２の引掛穴６２ａに引張バネ６６の上下端を引っ掛けて連結している。
【００１７】
モーター７は、取付台７１を介して上側の引掛部材６２に取り付け、そのモーター７の出力軸に設けたスプロケット７２とテンションローラー６５の軸に設けたスプロケット７３の間にチェーン７４を張架している。
【００１８】
この構造により、図６（ａ）に示すように、移動フレーム６４はそれ自身とテンションローラー６５とモーター７の自重及び引張バネ６６の引張り力でガイドフレーム６１に沿って若干下がり、テンションローラー６５がベルト３２の復路を押し下げて緊張する。その後、使用中にベルト３２が徐々に伸びると、その分だけ移動フレーム６４が自然に下がり、一定の張力でベルト３２を緊張し続ける。モーター７は移動フレーム６４に取り付けているから、移動フレーム６４が上下動してもテンションローラー６５とモーター７の間隔は変化せず、駆動力の伝達に影響はない。
【００１９】
ベルト３２がさらに伸びて移動フレーム６４が下がり続けると、図６（ｂ）に示すように、いずれは上側の引掛部材６２がコンベヤフレーム３１に接触するか又は移動フレーム６４が下側の引掛部材６２に接触してテンションローラー６５がベルト３２を押し下げられなくなる。この場合は、ベルト３２がこれ以上に伸びても緊張できないから、ベルト３２の交換が必要となる。
【００２０】
移動フレーム６４を持ち上げると、テンションローラー６５の位置が上方へ移行してベルト３２が大きく緩む。その緩んだベルト３２を引き上げて新しいベルト３２と交換するか、又はベルト３２を伸びた分だけ切り取って両端部を接続する。交換後は、図６（ａ）に示すように、移動フレーム６４がそれ自身とテンションローラー６５とモーター７の自重及び引張バネ６６の引張り力でガイドフレーム６１に沿って若干下がり、テンションローラー６５がベルト３２を押し下げて緊張する。
【００２１】
なお、張力が作用している状態であっても、何らかのトラブルでベルト３２が断裂し、新しいベルト３２に交換するか又は断裂した部分を再接続する時にも、前記と同様にして作業が可能である。本実施例ではメダル搬送ベルトコンベヤ３に取り付けたベルト緊張装置６について説明したが、メダル回収ベルトコンベヤ５に取り付けたベルト緊張装置６も構成及び作用効果は同じである。
【００２２】
図７に示すのは、本実施例のベルト緊張装置からモーターを取り外して従動のテンションローラーとした実施例の他の例である。図７は実施例の他の例のベルト緊張装置の側面図である。
【００２３】
この例では、図７に示すように、上側の引掛部材６２からモーター７と取付台７１を取り外し、モーター７はメダル搬送ベルトコンベヤ３の前後いずれかのローラー（図示せず）の位置に取り付けて駆動するようにしている。この例では、移動フレーム６４が軽量になるから、比較的距離が短いメダル搬送ベルトコンベヤ３など、大きな張力を必要としない場合に用いられる。一方、この方法でベルト３２の張力が不足する場合は、上側の引掛部材６２に必要重量の重りを設置するか、又は引張力がより強い引張バネ６６に交換する。その他、符号、構成、作用効果は実施例と同じである。
【００２４】
図８〜１１に示すのは、隣接する遊技機島間でメダルを搬送するメダル搬送ベルトコンベヤに本実施例のメダル緊張装置を取り付けた例である。図８〜１１は実施例の他の例の遊技機島の説明図である。
【００２５】
図８に示す例は、並設された遊技機島Ａ間にベルト緊張装置６を取り付けたメダル搬送ベルトコンベヤ３を架設し、そのベルト緊張装置６を遊技機島Ａ間の中間位置に配置し、モーター７はベルト緊張装置６に取り付けて駆動するようにしている。図９に示す例は、図８の例において、モーター７をエンドローラー側に取り付けて駆動するようにしている。
【００２６】
図１０に示す例は、並設された遊技機島Ａ間にベルト緊張装置６を取り付けたメダル搬送ベルトコンベヤ３を架設し、そのベルト緊張装置６を遊技機島Ａの直上位置に配置し、モーター７はベルト緊張装置６に取り付けて駆動するようにしている。図１１に示す例は、図１０の例において、モーター７をエンドローラー側に取り付けて駆動するようにしている。その他、符号、構成、作用効果は実施例と同じである。
【産業上の利用可能性】
【００２７】
本発明の技術は、主としてメダル遊技設備に利用されるが、汎用のベルトコンベヤにも応用できる。
【符号の説明】
【００２８】
１  メダル遊技機
２  メダル貸し機
３  メダル搬送ベルトコンベヤ
３１  コンベヤフレーム
３２  ベルト
４  メダル供給装置
５  メダル回収ベルトコンベヤ
６  ベルト緊張装置
６１  ガイドフレーム
６２  引掛部材
６２ａ  引掛穴
６３  補助ローラー
６４  移動フレーム
６５  テンションローラー
６６  引張バネ
７  モーター
７１  取付台
７２，７３  スプロケット
７４  チェーン
Ａ  遊技機島
【図１】
0005568540.tif 000002
【図２】
0005568540.tif 000003
【図３】
0005568540.tif 000004
【図４】
0005568540.tif 000005
【図５】
0005568540.tif 000006
【図６】
0005568540.tif 000007
【図７】
0005568540.tif 000008
【図８】
0005568540.tif 000009
【図９】
0005568540.tif 000010
【図１０】
0005568540.tif 000011
【図１１】
0005568540.tif 000012